(57)【要約】【課題】      障子の引寄せと施錠を連動してスムーズに行うに適した自然換気窓を提供する。【解決手段】  オペレーター操作で引張ワイヤー７６を引寄せることによってスライドバー５１を強制スライドして，このスライドバー５１に設置した係止ピン６３を障子３の下框３２に設置したフック６２に係止して生じの施錠を行うようにするとともに同時にこの引張ワイヤー７６の引寄せによって滑車装置７１の動滑車７１３を軸支した昇降部材７２を引き上げ，その係合支持部７２１をバランサー５１の上端の被係合部７２１に対接係合してこのバランサー５１を強制上昇させることによって，バランサー５１と連結アーム５３で連結した障子３を引き寄せるようにする。オペレーターのロックを解除すれば逆に施錠が解除されるとともにバランサー５１がフリーになって障子３の傾斜開放と風圧抵抗に応じた開閉制御ができる。【選択図】    図２
2007063899.tif 000002
【特許請求の範囲】
【請求項１】
傾斜開放を常態とするように窓枠の上枠に障子を開閉自在に吊支持した自然換気窓であって，窓枠の縦枠に上下方向昇降自在に配置したバランサー及び該バランサーと障子の縦框に長手方向端部を回動自在に軸支しこれらの間に配置した連結アームによって風圧抵抗に応じて常態の傾斜開放から閉鎖方向に障子を揺動的に開閉制御する開閉制御手段と，窓枠の下枠に長手方向スライド自在に配置したスライドバーと障子の下框にそれぞれ配置し相互に係脱自在のフック及び係止ピンとを具備した障子施錠手段と，オペレーター又はスイッチ操作によって上記開閉制御手段のバランサーを強制上昇して障子を閉鎖するとともに上記障子施錠手段のスライドバーを強制スライドして障子を施錠するように上記開閉制御手段と上記障子施錠手段とを連動して作動する連動手段とを備えてなることを特徴とする自然換気窓。
【請求項２】
上記連動手段を，縦枠のバランサー上方位置に配置した動滑車を具備した滑車装置と，該滑車装置の動滑車を軸支し該動滑車によって縦枠に昇降自在とし且つバランサーを強制上昇する係合支持部を具備した昇降部材と，該昇降部材の係合支持部に常時非係合とするように該係合支持部の上方に位置して昇降部材の上昇によって係合支持部に対接係合自在にバランサーに配置した被係合部と，オペレーター又はスイッチ操作の巻上げによって引寄せ自在とし先端を上記動滑車を介して滑車装置に固定するとともに中間をスライドバーに固定して滑車装置とスライドバーを連結した引張ワイヤーとを備えてなることを特徴とする請求項１に記載の自然換気窓。
【請求項３】
上記昇降部材を，該昇降部材と縦枠との間に介設した引張バネ，ダンパー又は圧縮バネによって縦枠に対する下向き付勢状態で昇降自在としてなることを特徴とする請求項２に記載の自然換気窓。
【請求項４】
上記引張ワイヤーを，下枠に配置したワイヤーガイド，バランサー設置の縦枠下端に配置した方向転換滑車，上記スライドバーに固定したスライド滑車，上記方向転換滑車の上方近傍に配置した同じく方向転換滑車，縦枠上端の方向転換滑車，滑車装置の定滑車，滑車装置の動滑車を経由してオペレーター又はスイッチ側の巻上げドラムと滑車装置間に配置してなることを特徴とする請求項２又は３に記載の自然換気窓。
【請求項５】
上記スライドバーと下枠間にダンパー，引張バネ又は圧縮バネを配置し該ダンパー，引張バネ又は圧縮バネを開錠方向に付勢してスライドバーを上記スライド滑車によって施錠方向にスライド自在としてなることを特徴とする請求項２，３又は４に記載の自然換気窓。
【請求項６】
上記バランサー及び昇降部材をそれぞれ縦枠との間に設置した昇降ガイドによって昇降案内自在としてなることを特徴とする請求項１，２，３，４又は５に記載の自然換気窓。
【発明の詳細な説明】
【技術分野】
【０００１】
本発明は，窓枠に傾斜開放を常態とする障子を開閉自在に装着することによって窓において室内外の換気をなし得るようにした自然換気窓に関する。
【背景技術】
【０００２】
この種自然換気窓として出願人のうちの一社は，傾斜開放を常態とするように窓枠の上枠に障子を開閉自在に吊支持した自然換気窓であって，窓枠の縦枠に上下方向昇降自在に配置したバランサー及び該バランサーと障子の縦框に長手方向端部を回動自在に軸支しこれらの間に配置した連結アームによって風圧抵抗に応じて常態の傾斜開放から閉鎖方向に障子を揺動的に開閉制御する開閉制御手段と，窓枠の下枠に長手方向スライド自在に配置したスライドバーと障子の下框にそれぞれ配置し相互に係脱自在のフック及び係止ピンとを具備した障子施錠手段と，障子の縦框に室内側に向けて突設したラッチを縦枠に設置した昇降ピンの昇降によって押上回動して障子を窓枠側に引寄せする引寄手段と，オペレーター又はスイッチ操作によって上記引寄手段の昇降ピンの強制上昇して障子を閉鎖するとともに障子施錠手段のスライドバーを強制スライドして障子を施錠するように引寄手段と障子施錠手段とを連動して作動する連動手段とを備えた構造のものを先行して提案済みである。
【０００３】
【特許文献１】特願２００４−２２８１８７号
【発明の開示】
【発明が解決しようとする課題】
【０００４】
この場合，障子の傾斜開放を常態とするとともに障子が受ける風圧抵抗に応じて，例えば風圧が強くなった際に障子を一時的に自動閉鎖し，強い風圧がなくなった際に再び障子を傾斜開放する如くにその開閉動作を的確に制御し得る自然換気窓を提供できるとともに手の届く位置に設置したオペレーター又はスイッチの操作によって簡単に障子の施開錠をなし得ることにより，自然換気窓を手の届かない高所に設置し得るといったメリットもあるが，一方で，障子の縦框に室内側に向けて突設したラッチを縦枠に設置した昇降ピンの昇降によって押上回動する障子の引寄手段を備えたものとすることによって，障子に設置したラッチが常に露出することになり自然換気窓の外観を損なう可能性が残されている。
【０００５】
本発明はかかる事情に鑑みてなされたもので，その解決課題とするところは，常態の傾斜開放，風圧抵抗による開閉動作，障子の施開錠といった自然換気窓の機能を確保しながら，上記障子にラッチ等の部材が露出することなく，外観を可及的に良好とした自然換気窓を提供するにある。
【課題を解決するための手段】
【０００６】
上記課題に沿って本発明は，窓枠の縦枠内に配置した上下方向昇降自在のバランサーと障子の縦框を連結アームによって連結した開閉制御手段によって，傾斜開放を常態とする障子が風圧抵抗を受けて障子が閉鎖方向に押圧されると連結アームが回動することによってバランサーを押し上げ，風圧抵抗が減少するとバランサーがその自重で降下して連結アームを回動して障子が傾斜開放の常態に復帰して風圧に応じた開閉動作を行うようにし，また窓枠の下枠に配置したフライドバーと障子の下框間に配置したフックと係止ピンの係脱で施開錠を行う障子施錠手段によって障子の施開錠を行うようにする一方，バランサーの強制上昇による障子の引寄せとスライドバーの強制スライドによる施錠とを連動手段によって連動することによって，壁面等に設置したオペレーター又はスイッチの操作で障子引寄せと該引寄せ状態での施錠を行うようにして，可及的にこれらの部材が表面に露出して外観を損なうことのないように構成したものであって，即ち請求項１に記載の発明を，傾斜開放を常態とするように窓枠の上枠に障子を開閉自在に吊支持した自然換気窓であって，窓枠の縦枠に上下方向昇降自在に配置したバランサー及び該バランサーと障子の縦框に長手方向端部を回動自在に軸支しこれらの間に配置した連結アームによって風圧抵抗に応じて常態の傾斜開放から閉鎖方向に障子を揺動的に開閉制御する開閉制御手段と，窓枠の下枠に長手方向スライド自在に配置したスライドバーと障子の下框にそれぞれ配置し相互に係脱自在のフック及び係止ピンとを具備した障子施錠手段と，オペレーター又はスイッチ操作によって上記開閉制御手段のバランサーを強制上昇して障子を閉鎖するとともに上記障子施錠手段のスライドバーを強制スライドして障子を施錠するように上記開閉制御手段と上記障子施錠手段とを連動して作動する連動手段とを備えてなることを特徴とする自然換気窓としたものである。
【０００７】
請求項２に記載の発明は，上記に加えて，連動手段を滑車装置と引張ワイヤーを備えて構成し，オペレーター又はスイッチ操作によって引寄せワイヤーを巻き上げると，滑車装置の動滑車を軸支した昇降部材がバランサーに対接係合して該バランサーを強制上昇するとともに引張ワイヤーの中間に固定したスライドバーを強制スライドしてフックに係止ピンを係止して障子の施錠を行うようにすることによって，連動手段の連動をスムーズ且つ確実に作動するものとするように，これを，上記連動手段を，縦枠のバランサー上方位置に配置した動滑車を具備した滑車装置と，該滑車装置の動滑車を軸支し該動滑車によって縦枠内を昇降自在とし且つバランサーを強制上昇する係合支持部を具備した昇降部材と，該昇降部材の係合支持部に常時非係合とするように該係合支持部の上方に位置して昇降部材の上昇によって係合支持部に対接係合自在にバランサーに配置した被係合部と，オペレーター又はスイッチ操作の巻上げによって引寄せ自在とし先端を上記動滑車を介して滑車装置に固定するとともに中間をスライドバーに固定して滑車装置とスライドバーを連結した引張ワイヤーとを備えてなることを特徴とする請求項１に記載の自然換気窓としたものである。
【０００８】
請求項３に記載の発明は，同じく上記に加えて，上記昇降部材の昇降を縦枠に下向き付勢状態で行うことにより，併せて滑車装置の動滑車を下向きに付勢し，該動滑車を昇降する引張ワイヤーに生じることある弛みを吸収することによって昇降部材を常に定位置に降下させ，昇降部材の降下不良に起因する係合支持部と被係合部の干渉とこれによるバランサー昇降阻害の可能性を解消し得るものとするように，これを，上記昇降部材を，該昇降部材と縦枠との間に介設した引張バネ，ダンパー又は圧縮バネによって縦枠に対する下向き付勢状態で昇降自在としてなることを特徴とする請求項２に記載の自然換気窓としたものである。
【０００９】
請求項４に記載の発明は，同じく上記に加えて，引張ワイヤーの配置をオペレーター又はスイッチ側の巻上げドラムと滑車装置との間で方向転換を抵抗なくスムーズに行って連動手段の作動を更にスムーズになし得るものとするように，これを，上記引張ワイヤーを，下枠に配置したワイヤーガイド，バランサー設置の縦枠下端に配置した方向転換滑車，上記スライドバーに固定したスライド滑車，上記方向転換滑車の上方近傍に配置した同じく方向転換滑車，縦枠上端の方向転換滑車，滑車装置の定滑車，滑車装置の動滑車を経由してオペレーター又はスイッチ側の巻上げドラムと滑車装置間に配置してなることを特徴とする請求項２又は３に記載の自然換気窓としたものである。
【００１０】
請求項５に記載の発明は，同じく上記に加えて，スライドバーの強制スライドを開錠方向に付勢しながら行うことによって，オペレーター又はスイッチ操作によって引張ワイヤーの引張力が解消された際に該引張ワイヤーを巻き戻すように作用して施錠装置のスムーズにして自動的な開錠を行うものとするように，これを，上記スライドバーと下枠間にダンパー，引張バネ又は圧縮バネを配置し該ダンパー，引張バネ又は圧縮バネを開錠方向に付勢してスライドバーを上記スライド滑車によって施錠方向にスライド自在としてなることを特徴とする請求項２，３又は４に記載の自然換気窓としたものである。
【００１１】
請求項６に記載の発明は，同じく上記に加えて，バランサーと昇降部材をそれぞれ昇降ガイドによって案内し，風圧抵抗に応じたバランサーのスムーズな昇降を確保し障子の開閉動作を滑らかにするとともに施錠時の昇降部材によるバランサーのスムーズな強制上昇を確保し得るものとするように，これを，上記バランサー及び昇降部材をそれぞれ縦枠との間に設置した昇降ガイドによって昇降案内自在としてなることを特徴とする請求項１，２，３，４又は５に記載の自然換気窓としたものである。
【００１２】
本発明はこれらをそれぞれ発明の要旨として上記課題解決の手段としたものである。
【００１３】
なお本発明において，縦枠には方立を含み，また上枠及び下枠にはそれぞれ無目を含む意味に用いる。
【発明の効果】
【００１４】
本発明は以上のとおりに構成したから，請求項１に記載の発明は，窓枠の縦枠内に配置した上下方向昇降自在のバランサーと障子の縦框を連結アームによって連結した開閉制御手段によって，傾斜開放を常態とする障子が風圧抵抗を受けて障子が閉鎖方向に押圧されると連結アームが回動することによってバランサーを押し上げ，風圧抵抗が減少するとバランサーがその自重で降下して連結アームを回動して障子が傾斜開放の常態に復帰して風圧に応じた開閉動作を行うようにし，また窓枠の下枠に配置したフライドバーと障子の下框間に配置したフックと係止ピンの係脱で施開錠を行う障子施錠手段によって障子の施開錠を行うようにする一方，バランサーの強制上昇による障子の引寄せとスライドバーの強制スライドによる施錠とを連動手段によって連動することによって，壁面等に設置したオペレーター又はスイッチの操作で障子引寄せと該引寄せ状態での施錠を行うようにして，常態の傾斜開放，風圧抵抗による開閉動作，障子の施開錠といった自然換気窓の機能を確保しながら，上記障子にラッチ等の部材が露出することなく，外観を可及的に良好とした自然換気窓を提供することができる。
【００１５】
請求項２に記載の発明は，上記に加えて，連動手段を滑車装置と引張ワイヤーを備えて構成し，オペレーター又はスイッチ操作によって引寄せワイヤーを巻き上げると，滑車装置の動滑車を軸支した昇降部材がバランサーに対接係合して該バランサーを強制上昇するとともに引張ワイヤーの中間に固定したスライドバーを強制スライドしてフックに係止ピンを係止して障子の施錠を行うようにすることによって，連動手段の連動をスムーズ且つ確実に作動するものとできる。
【００１６】
請求項３に記載の発明は，同じく上記に加えて，上記昇降部材の昇降を縦枠に下向き付勢状態で行うことにより，併せて滑車装置の動滑車を下向きに付勢し，該動滑車を昇降する引張ワイヤーに生じることある弛みを吸収することによって昇降部材を常に定位置に降下させ，昇降部材の降下不良に起因する係合支持部と被係合部の干渉とこれによるバランサー昇降阻害の可能性を解消することができる。
【００１７】
請求項４に記載の発明は，同じく上記に加えて，引張ワイヤーの配置をオペレーター又はスイッチ側の巻上げドラムと滑車装置との間で方向転換を抵抗なくスムーズに行って連動手段の作動を更にスムーズにすることができる。
【００１８】
請求項５に記載の発明は，同じく上記に加えて，スライドバーの強制スライドを開錠方向に付勢しながら行うことによって，オペレーター又はスイッチ操作によって引張ワイヤーの引張力が解消された際に該引張ワイヤーを巻き戻すように作用して施錠装置のスムーズにして自動的な開錠を行うものとすることができる。
【００１９】
請求項６に記載の発明は，同じく上記に加えて，バランサーと昇降部材をそれぞれ昇降ガイドによって案内し，風圧抵抗に応じたバランサーのスムーズな昇降を確保し障子の開閉動作を滑らかにするとともに施錠時の昇降部材によるバランサーのスムーズな強制上昇を確保することができる。
【発明を実施するための最良の形態】
【００２０】
以下図面の例に従って本発明を更に具体的に説明すれば，図中１は，傾斜開放を常態とするように窓枠２の上枠２１に障子３を開閉自在に吊支持して，例えば無風状態や風速２〜３ｍ／ｓｅｃ程度の微風状態で障子３を傾斜開放の常態とし，風速４〜５ｍ以上の強風状態で障子３が風圧抵抗を受けることによって該障子３を自動的に閉鎖し，強風が治まり風圧抵抗がなくなると再び傾斜開放の常態に復帰することによって自然換気を行うようにした，本例において例えば壁面の高所に設置した自然換気窓であり，該自然換気窓１は開閉制御手段５と，障子施錠手段６と，これら開閉制御手段５と障子施錠手段６とを連動して作動する連動手段７とを備えたものとしてある。
【００２１】
障子３は，窓枠２の上枠２１と上框３１間に，例えばヒンジ４を介して回動自在に上吊りすることによってその開閉自在の吊支持を行ってあり，本例にあって該ヒンジ４は，上枠２１に一体に形成した軸と上框３１に同じく一体に形成した軸受とを対として回動自在に嵌合したアルミヒンジによるものとしてある。
【００２２】
上記開閉制御手段５は，窓枠２の縦枠２２に上下方向昇降自在に配置したバランサー５１及び該バランサー５１と障子３の縦框３３に長手方向端部を回動自在に軸支しこれらの間に配置した連結アーム５３によって風圧抵抗に応じて常態の傾斜開放から閉鎖方向に障子３を揺動的に開閉制御するものとしてあり，上記障子施錠手段６は，窓枠２の下枠２２に長手方向スライド自在に配置したスライドバー６１と障子３の下框３２にそれぞれ配置し相互に係脱自在のフック６２及び係止ピン６３とを具備したものとしてあり，また上記連動手段７は，オペレーター又はスイッチ操作，本例にあってはオペレーター操作によって上記開閉制御手段５のバランサー５１を強制上昇して障子３を閉鎖するとともに上記障子施錠手段６のスライドバー６１を強制スライドして障子３を施錠するものとしてある。
【００２３】
本例にあって開閉制御手段５は，例えば片側の縦枠２３における凹陥した見込面にバランサー５１を配置し，該バランサー５１と，上記縦枠２３の開放部分を閉塞するように障子３の片側に室内側に向けて突出するように設置した縦框３３との間に連結アーム５３を配置して障子３の片側においてその開閉制御を行うようにしてあり，このときバランサー５１は，これを縦枠２３に設置した昇降ガイド５２によって昇降案内自在としてある。
【００２４】
即ち本例のバランサー５１は，バランサーブラケット５１１と該バランサーブラケット５１１に適宜枚数を積層するように固定したバランサープレート５１２とによって形成し，該バランサープレート５１１の枚数を増減することによってその重量調整を行って，連結アーム５３を介して障子３の重量とのバランスを確保し，風圧抵抗のないときに該障子３を所定角度，例えば２０度程度の傾斜角度に開放してその傾斜開放の常態を維持するようにしてある。
【００２５】
該バランサー５１を昇降案内する昇降ガイド５２は，本例にあってガイドローラー５２２とこれを案内するガイドレール５２１によるものとしてあり，例えば縦枠２３の左右中間位置の見込面とバランサーブラケット５１１の間に断面Ｃ字状のガイドレール５２１を固定し，バランサーブラケット５１１裏面の上下複数箇所に設置したガイドローラー５２１を転動自在に受入れ係合することによって該バランサーブラケット５１１の昇降案内を行うようにしてあり，これによりバランサー５１が左右乃至前後方向に揺動するのを確実に防止するとともに該バランサー５１の昇降案内に伴って生じる摩擦抵抗を可及的に減少し，上記連結アーム５３を介して伝達される障子３の風圧抵抗に応じてバランサー５１の昇降を更にスムーズにして障子３の開閉を更に滑らかとし得るようにしてあり，このときバランサー５１はその降下位置をストッパー５１３によって規制して障子３の開閉角度を定めるものとしてある。
【００２６】
連結アーム５３は，該バランサー５１，特にそのバランサーブラケット５１１の下端と上記障子３の室内側に突出する縦框３３の側面下端に設置したアームブラケット５３１に長手方向両端を回動自在に軸支固定することによって，該バランサー５１と縦框３３の下端同士を回動自在に連結するように配置してあり，このとき連結アーム５３は，これを，上記バランサー５１が最上端まで上昇した際に，該バランサー５１に引き上げられ，これと平行な状態となって縦枠２３に垂直に納まる長さを有するものとしてある。
【００２７】
これによって障子３が風圧抵抗を受けると該障子３下端に固定された連結アーム５３がバランサー５１を上向きに押圧する結果，該バランサー５１を上記昇降ガイド５２の昇降案内に沿って上昇させて該障子３を閉鎖させ，また該風圧抵抗が減少するとバランサー５１がその自重によって降下する結果，連結アーム５３が障子を開方向に押圧して障子３を傾斜開放させるようにしてある。
【００２８】
本例にあって障子施錠手段６は，スライドバー６１に，例えば摩擦抵抗を減少するようにローラーボルトによる係止ピン６３を，また障子３の下框３２に該係止ピン６３を受入自在に横方向に傾斜開口したフック６２を配置し，スライドバー６１のスライドに伴って係止ピン６３が横方向に移動して下框３２のフック６２に係止することによって施錠を行う一方，係止ピン６３がフック６２から脱出することによってその開錠を行うようにしてある。
【００２９】
このとき障子施錠装置６の上記スライドバー６１は，これを下向きＣ字状に形成し，下枠２２に一体成形し又は後付した上向き開口にしてＣ字状のガイド溝に嵌挿することによって該下枠２２に対してその長手方向スライド自在に配置してあり，本例にあって該スライドバー６１と下枠２２間にダンパー，引張バネ又は圧縮バネ，本例にあってはダンパー６４を配置し，該ダンパー６４を開錠方向に付勢してスライドバー６１を施錠方向にスライド自在としてあり，本例のダンパー６４は，これをガスダンパーによるものとし，該ダンパー６４は，スライドバー６１の長手方向一端に設置したスライドバー６１側のダンパーブラケット６４１及びこれと上記フック６２の位置を挟んだ反対側位置において下枠２２に設置した下枠２２側のダンパーブラケット６４１間に介設してスライドバー６１の施錠方向のスライドによって開錠方向の付勢力を蓄積し，開錠時に該付勢力によってスライドバー６１が開錠方向にスライドして該スライドバー６１に設置した係止ピン６３がフック６２からスムーズに脱出して障子施錠装置６の自動的な開錠を行うようにしてある。
【００３０】
本例にあって上記連動手段７は，壁面の高所に設置した自然換気窓の操作を手の届く壁面位置に設置した図示省略のオペレーター又はスイッチ，本例にあってはオペレーターの操作によって上記開閉制御手段５と障子施錠手段６とを連動して作動し，開閉制御手段５のバランサー５１を強制上昇することによる障子３の閉方向への引寄せと，スライドバー６１を強制スライドして上記フック６２に係止ピン６３を係止することによる障子３の施錠とを順次段階的になし得るものとしてある。
【００３１】
このとき本例の連動手段７は，これを，縦枠２３のバランサー５１上方位置に配置した動滑車７１３を具備した滑車装置７１と，該滑車装置７１の動滑車７１３を軸支し該動滑車７１３によって縦枠２３に昇降自在とし且つバランサー５１を強制上昇する係合支持部７２１を具備した昇降部材７２と，該昇降部材７２の係合支持部７２１に常時非係合とするように該係合支持部７２１の上方に位置して昇降部材７２の上昇によって係合支持部７２１に対接係合自在にバランサー５１に配置した被係合部７２２と，オペレーター又はスイッチ操作，本例にあってはオペレーター操作の巻上げによって引寄せ自在とし先端を上記動滑車７１３を介して滑車装置７１に固定するとともに中間をスライドバー６１に固定して滑車装置７１とスライドバー６１を連結した引張ワイヤー７６とを備えたものとしてあり，このとき本例にあって上記昇降部材７２は，これを，該昇降部材７２と縦枠２３との間に介設した引張バネ，ダンパー又は圧縮バネ，本例にあっては引張バネ７３によって縦枠２３に対する下向き付勢状態で昇降自在としてある。また本例にあって該引張ワイヤー７６は，これを，下枠２２に配置したワイヤーガイド７６１，バランサー５１設置の縦枠２２下端に配置した方向転換滑車７６２，上記スライドバー６１に固定したスライド滑車７６３，上記方向転換滑車７６２の上方近傍に配置した同じく方向転換滑車７６４，縦枠２３上端の方向転換滑車７６５，滑車装置７１の定滑車７１２，滑車装置７１の動滑車７１３を経由してオペレーター又はスイッチ側，本例にあってはオペレーター側の巻上げドラムと滑車装置７１間に配置したものとしてあり，また上記昇降部材７２は，これを上記バランサー５１と同様に，縦枠２３に設置した昇降ガイド７５によって昇降案内自在としたものとしてある。
【００３２】
滑車装置７１は，縦枠２３のバランサー５１上方位置，本例にあっては縦枠２３上端位置に設置した端部金具７１１に引張ワイヤー７６の先端を固定し，昇降部材７２の動滑車７１３及び上記端部金具７１１と同じ高さの縦枠２３上端位置に軸支固定した定滑車７１２を経由するように配置し引張ワイヤー７６の引寄せによって昇降部材７２を上昇自在としてあり，本例にあって上記昇降部材７２の係合支持部７２１は，これを昇降部材７２の下端にバランサー５１側に向けて突設したローラー，折曲片等による係合支持用の突出部とし，またバランサー５１の被係合部７２２は，これを，上記バランサーブラケット  の上端に昇降部材７２側に向けて同じく突設した折曲片，ローラー等による被係合用の突出部としてある。従って，例えばオペレーターのロックを解除して引張ワイヤー７６をフリーとして障子３が傾斜開放の常態にあるとき，昇降部材７２はその動滑車７１３の自重で下方に降下し，上記係合支持部７２１がバランサー５１の被係合部７２２より下位に位置する結果，係合支持部７２１と被係合部７２２とは常時非係合の状態となるとともにバランサー５１も連結アーム５３が障子３側に突出するように同じく自重によって最降下した状態となり，障子３の風圧抵抗によって該バランサー５１は上昇しても降下することはないから，昇降部材７２がバランサー５１の昇降を妨害する可能性を解消するとともに引張ワイヤー７６が引寄せられることによって昇降部材７２が上昇すれば，最降下又は中間の位置を問わずにバランサー５１の被係合部７２２に昇降部材７２の係合支持部７２１が対接係合して該バランサー５１を縦枠２３上方に向けて強制上昇するようにしてある。
【００３３】
上記昇降部材７２と縦枠２３との間に介設した引張バネ７３は，例えばコイルスプリングを用い，昇降部材７２の下端，本例にあっては上記ローラー，折曲片等の係合支持用の突出部による係合支持部７２１と並列するようにバネ係合部７３１を突設する一方，その下方位置で縦枠２３に同じくバネ係合部７３１を配置し，これらバネ係合部７３１間に両端のフックを引掛支持することによって，これらの間に介設してあり，これによって併せて滑車装置７１の動滑車７１３を下向きに付勢し，引張ワイヤー７６に生じることある弛みを吸収して昇降部材７２を常に定位置に降下させ，昇降部材７２の降下不良に起因する係合支持部７２１と被係合部７２２の干渉とこれによるバランサー５１昇降阻害の可能性を解消するものとしてある。このとき本例にあって昇降部材７２は，縦枠２３に設置し，該昇降部材７２を定位置で下支え支持するストッパー７４を設置し，引張バネ７６の付勢力で昇降部材７２が定位置を超えて降下するのを防止し，該定位置を超えて降下することによって，例えばその係合支持部７２１がバランサー５１，特にそのバランサーブラケット５１１の被係合部７２２と衝接して衝接音を発生したりするのを防止し得るようにしてある。
【００３４】
また本例にあって昇降部材７２の昇降ガイド７５は，上記バランサーブラケット５１１における昇降ガイド５２の縦枠２３の上方位置で見込面に同じく断面Ｃ字状のガイドレール７５１を固定するとともに昇降部材７２裏面の同じく上下複数箇所に設置したガイドローラー７５２を転動自在に受け入れ係合して行うようにしてあり，これによって上記バランサー５１の昇降案内と同様に，該昇降部材７２が揺動するのを確実に防止するとともに該昇降部材７２の昇降案内に伴って生じる摩擦抵抗を可及的に減少し，該昇降部材７２の上昇とこれによる障子３の引寄せをスムーズになし得るようにしてある。
【００３５】
上記オペレーター側から滑車装置に至る間に引張ワイヤー７６は，先ず上記ワイヤーガイド７６１を経由するところ，該ワイヤーガイド７６１は，起立片に透孔を透設して下枠２２に設置したＬ字状金具によるものとしてあり，該ワイヤーガイド７６１の上記透孔に引張ワイヤー７６を挿通することによって下枠２２一端における引張ワイヤー７６のスタート位置を定めるものとしてあり，ワイヤーガイド７６１に次いで引張ワイヤー７６が経由する方向転換滑車７６２は，下枠２２他端の縦枠２３内に設置した同じくＬ字状金具の起立片に軸支することによってバランサー５１設置の縦枠２３下端において上記引張ワイヤー７６の方向を１８０度転換して再度下枠２２の長手方向に沿って復帰するものとしてあり，また該方向転換滑車７６２に次いで引張ワイヤー７６が経由するスライド滑車７６３は，スライドバー６１の該方向転換滑車７６２側端部に設置した同じくＬ字状金具の起立片に軸支することによって該スライドバー６１を，本例にあって上記ダンパー６４を付勢しながら上記方向転換滑車７６２側に向けて引寄せてその強制スライドを行うものとするとともに引張ワイヤー７６の方向を同じく１８０度転換して再度上記方向転換滑車７６２側に向けるものとしてある。該スライド滑車７６３に次いで引張ワイヤー７６が経由する方向転換滑車７６４は，上記方向転換滑車７６２の上方近傍に設置した同じくＬ字状金具の起立片に軸支することによってバランサー５１設置の縦枠２２下方においてスライド滑車７６３を経由した引張ワイヤー７６の方向を９０度転換して縦枠２３上端の上記滑車装置７１における定滑車７１２に向けるものとしてあり，このとき該方向転換滑車７６４は，例えば上下に一対のものを用いてタスキ掛け状に引張ワイヤー７６を配置し，その下方の一方で方向を１３０度程度転換した後に上方の他方で再度方向を４０度程度転換しその方向を上方に向けるものとしてあり，また該方向転換滑車７６４に次いで引張ワイヤー７６が経由する方向転換滑車７６５は，縦枠２３上端に設置した，上記滑車装置７１の定滑車７１２と同高さ位置のＬ字状金具の起立片に軸支することによって上記方向転換滑車７５４からの引張ワイヤー７６の方向を９０度転換して滑車装置７１に向けるものとしてある。
【００３６】
以上のとおりに構成した本例の自然換気窓１にあっては，オペレーターを操作して連動手段７の引張ワイヤー７６を巻き取って引寄せると，該引張ワイヤー７６がその中間でスライド滑車７６３を引寄せてスライドバー６１を施錠方向に強制スライドし，ダンパー６４に開錠方向の付勢力を蓄積するとともに滑車装置７１の動滑車７１３を引上げて昇降部材７２を上昇し，該昇降部材７２の係合支持部７２１がバランサー５１，特にバランサーブラケット５１１の被係合部７２２に対接係合してバランサー５１を強制上昇し，これによって連結アーム５３を回動して障子３を閉鎖方向に引寄せる一方，障子施錠装置６におけるスライドバー６１の係止ピン６３が下框３２のフック６２に係止し，障子３の引寄せと施錠を完了することができ，また逆にオペレーターのロックを解除して連動手段７の引張ワイヤー７６をフリーとすると上記ダンパー６４がスライドバー６１を逆方向にスライドして，障子施錠手段６のフック６２から係止ピン６３が脱出するとともに連動手段７の昇降部材７２が動滑車７１３の自重で降下することによってその係合支持部７２１がバランサー５１の被係合部７２２から外れて，開閉制御手段５のバランサー５１が障子３とバランスすることによって障子３が傾斜開放の常態となるとともに障子３の風圧抵抗に応じた開閉制御手段５の開閉制御が可能となり，自然換気窓１としてその機能を発揮できる。
【００３７】
また本例にあって昇降部材７２の昇降を引張バネ７３によって下向き付勢状態で行うことによって，引張ワイヤー７６に生じることある弛みを吸収して昇降部材７２を常に定位置に降下させ，昇降部材７２の降下不良に起因する係合支持部７２１と被係合部７２２の干渉とこれによるバランサー５１昇降阻害の可能性を解消することができ，更にバランサー５１，特にそのバランサーブラケット５１１及び昇降部材７２の裏面にガイドローラー５２２，７５２を配置して縦枠２３に設置したガイドレール５２１，７５１によって昇降案内して昇降ガイド５２，７５としたことによってそれぞれ縦枠２３に対して昇降するバランサー５１と昇降部材７２の揺動を防止するとともにその昇降に伴う摩擦抵抗を可及的に減少し，バランサー５１にあっては障子３の開閉制御を，昇降部材７２にあっては施錠時の障子３の引寄せをそれぞれスムーズにして滑らかに行うことができる。
【００３８】
図示した例は以上のとおりとしたが，自然換気窓を電動のものとして，上記オペレーターに代えてスイッチ操作によって連動手段を作動するようにすること，障子施錠装置においてフックをスライドバーに，係止ピンを下框に配置するようにすること，上記昇降部材の下向き付勢を，上記引張バネに代えてダンパー又は圧縮バネによって行うようにすること，上記スライドバーの開錠方向の付勢を，上記ダンパーに代えて引張バネ又は圧縮バネによって行うようにすること等を含めて，自然換気窓，開閉制御手段，バランサー，連結アーム，障子施錠装置，スライドバー，フック，係止ピン，連動手段，これを作動するオペレーター，スイッチ，必要に応じて用いる連動手段の滑車装置，昇降部材，引張ワイヤー，スライド滑車，引張ワイヤーの経由配置，ダンパー乃至引張バネ，昇降ガイド等の各具体的形状，構造，材質，これらの関係，これらに対する付加等は，上記発明の要旨に反しない限り様々な形態のものとすることができる。
【図面の簡単な説明】
【００３９】
【図１】自然換気窓の設置状態を示す縦断面図である。
【図２】自然換気窓の障子を傾斜開放した状態を示す縦断面図である。
【図３】図２Ａ−Ａ線の縦枠部分の拡大横断面図である。
【図４】図２Ｂ−Ｂ線の縦枠部分の拡大横断面図である。
【図５】図２Ｃ−Ｃ線の縦枠部分の拡大横断面図である。
【図６】図２Ｄ−Ｄ線の縦枠部分の拡大横断面図である。
【図７】図２Ｅ−Ｅ線の縦枠部分の拡大横断面図である。
【図８】図２Ｆ−Ｆ線の縦枠部分の拡大横断面図である。
【図９】図２Ｇ−Ｇ線の縦枠部分の拡大横断面図である。
【図１０】自然換気窓の障子施錠状態を示す横断面図である。
【図１１】図１１Ｈ−Ｈ線の横枠部分の拡大縦断面図である。
【図１２】図１１Ｉ−Ｉ線の横枠部分の拡大縦断面図である。
【図１３】図１１Ｊ−Ｊ線の横枠部分の拡大縦断面図である。
【図１４】図１１Ｋ−Ｋ線の横枠部分の拡大縦断面図である。
【図１５】引張ワイヤーの配置状態を示す室内側における正面図である。
【符号の説明】
【００４０】
１  自然換気窓
２  窓枠
２１  上枠
２２  下枠
２３  縦枠
３  障子
３１  上框
３２  下框
３３  縦框
４  ヒンジ
５  開閉制御手段
５１  バランサー
５１１  バランサーブラケット
５１２  バランサープレート
５１３  ストッパー
５２  昇降ガイド
５２１  ガイドレール
５２２  ガイドローラー
５３  連結アーム
５３１  アームブラケット
６  障子施錠手段
６１  スライドバー
６２  フック
６３  係止ピン
６４  ダンパー
６４１  ダンパーブラケット
７  連動手段
７１  滑車装置
７１１  端部金具
７１２  定滑車
７１３  動滑車
７２  昇降部材
７２１  係合支持部
７２２  被係合部
７３  引張バネ
７３１  バネ係合部
７４  ストッパー
７５  昇降ガイド
７５１  ガイドレール
７５２  ガイドローラー
７６  引張ワイヤー
７６１  ワイヤーガイド
７６２  方向転換滑車
７６３  スライド滑車
７６４  方向転換滑車
７６５  方向転換滑車
【図１】
2007063899.tif 000003
【図２】
2007063899.tif 000004
【図３】
2007063899.tif 000005
【図４】
2007063899.tif 000006
【図５】
2007063899.tif 000007
【図６】
2007063899.tif 000008
【図７】
2007063899.tif 000009
【図８】
2007063899.tif 000010
【図９】
2007063899.tif 000011
【図１０】
2007063899.tif 000012
【図１１】
2007063899.tif 000013
【図１２】
2007063899.tif 000014
【図１３】
2007063899.tif 000015
【図１４】
2007063899.tif 000016
【図１５】
2007063899.tif 000017